(57)【特許請求の範囲】
【請求項１】
近傍界通信（ＮＦＣ）のための方法であって、
リスニング動作モードに入るべきかどうかを決定することと、
前記リスニング動作モードに入ることを決定したことに基づいて、複数のリッスンモードプロファイルからリッスンモードプロファイルを識別することと、
前記リッスンモードプロファイルに基づいて第１のＮＦＣデバイスを構成することと
を備え、ここにおいて、前記リスニング動作モードに入るべきかどうかを決定することが、
前記第１のＮＦＣデバイス上で実行している少なくとも１つのアプリケーションの特性を識別することと、
前記少なくとも１つのアプリケーションの前記特性に基づいて前記リスニング動作モードを選択することと
を備える、方法。
【請求項２】
前記複数のリッスンモードプロファイルから前記リッスンモードプロファイルを識別することが、
前記第１のＮＦＣデバイスによってサポートされる１つまたは複数のプロトコルを決定することと、
前記第１のＮＦＣデバイスによってサポートされる前記１つまたは複数のプロトコルに関連する前記リッスンモードプロファイルを選択することと
を備える、請求項１に記載の方法。
【請求項３】
前記複数のリッスンモードプロファイルが、少なくとも１つのリッスン状態のための構成パラメータ値を含む、請求項１に記載の方法。
【請求項４】
前記複数のリッスンモードプロファイルが、ピアツーピア（Ｐ２Ｐ）リッスン状態のための構成パラメータと対応するパラメータ値とのセットを有するＰ２Ｐリッスンモードプロファイルを含み、ここにおいて、前記Ｐ２Ｐリッスンモードプロファイルが、ＮＦＣデータ交換プロトコル（ＮＦＣ−ＤＥＰ）を使用して第２のＮＦＣデバイスとの通信を確立するように構成された、請求項１に記載の方法。
【請求項５】
前記複数のリッスンモードプロファイルが、タイプ３タグ（Ｔ３Ｔ）リッスン状態のための構成パラメータと対応するパラメータ値とのセットを有するＴ３Ｔリッスンモードプロファイルを含み、ここにおいて、前記Ｔ３Ｔリッスンモードプロファイルが、タイプ３タグ動作を実装する第２のＮＦＣデバイスとの通信を確立するように構成された、請求項１に記載の方法。
【請求項６】
前記複数のリッスンモードプロファイルが、タイプ４Ａタグ（Ｔ４ＡＴ）リッスン状態のための構成パラメータと対応するパラメータ値とのセットを有するＴ４ＡＴリッスンモードプロファイルを含み、ここにおいて、前記Ｔ４ＡＴリッスンモードプロファイルが、ＮＦＣタイプ−Ａ（ＮＦＣ−Ａ）無線周波数技術を使用してタイプ４タグ動作を実装する第２のＮＦＣデバイスとの通信を確立するように構成された、請求項１に記載の方法。
【請求項７】
前記複数のリッスンモードプロファイルが、タイプ４Ｂタグ（Ｔ４ＢＴ）リッスン状態のための構成パラメータと対応するパラメータ値とのセットを有するＴ４ＢＴリッスンモードプロファイルを含み、ここにおいて、前記Ｔ４ＢＴリッスンモードプロファイルが、ＮＦＣタイプ−Ｂ（ＮＦＣ−Ｂ）無線周波数技術を使用してタイプ４タグ動作を実装する第２のＮＦＣデバイスとの通信を確立するように構成された、請求項１に記載の方法。
【請求項８】
前記リッスンモードプロファイルが、通信プロセス中にユーザ介入なしに実行される、請求項１に記載の方法。
【請求項９】
近傍界通信（ＮＦＣ）デバイスのための装置であって、
リスニング動作モードに入ることを決定するための手段と、
前記リスニング動作モードに入ることを決定したことに基づいて、複数のリッスンモードプロファイルからリッスンモードプロファイルを識別するための手段と、
前記リッスンモードプロファイルに基づいて前記ＮＦＣデバイスを構成するための手段と
を備え、ここにおいて、前記リスニング動作モードに入ることを決定するための前記手段が、
第１のＮＦＣデバイス上で実行している少なくとも１つのアプリケーションの特性を識別するための手段と、
前記少なくとも１つのアプリケーションの前記特性に基づいて前記リスニング動作モードを選択するための手段と
を備える、装置。
【請求項１０】
前記複数のリッスンモードプロファイルから前記リッスンモードプロファイルを識別するための前記手段が、
前記第１のＮＦＣデバイスによってサポートされる１つまたは複数のプロトコルを決定するための手段と、
前記第１のＮＦＣデバイスによってサポートされる前記１つまたは複数のプロトコルに関連する前記リッスンモードプロファイルを選択するための手段と
を備える、請求項９に記載の装置。
【請求項１１】
前記複数のリッスンモードプロファイルが、少なくとも１つのリッスン状態のための構成パラメータ値を含む、請求項９に記載の装置。
【請求項１２】
前記複数のリッスンモードプロファイルが、ピアツーピア（Ｐ２Ｐ）リッスンモードプロファイル、タイプ３タグ（Ｔ３Ｔ）リッスンモードプロファイル、タイプ４Ａタグ（Ｔ４ＡＴ）リッスンモードプロファイル、またはタイプ４Ｂタグ（Ｔ４ＢＴ）リッスンモードプロファイルのうちの２つまたはそれ以上を備える、請求項１１に記載の装置。
【請求項１３】
前記複数のリッスンモードプロファイルが、ピアツーピア（Ｐ２Ｐ）リッスン状態のための構成パラメータと対応するパラメータ値とのセットを有するＰ２Ｐリッスンモードプロファイルを含み、ここにおいて、前記Ｐ２Ｐリッスンモードプロファイルが、ＮＦＣデータ交換プロトコル（ＮＦＣ−ＤＥＰ）を使用して第２のＮＦＣデバイスとの通信を確立するように構成された、請求項９に記載の装置。
【請求項１４】
前記複数のリッスンモードプロファイルが、タイプ３タグ（Ｔ３Ｔ）リッスン状態のための構成パラメータと対応するパラメータ値とのセットを有するＴ３Ｔリッスンモードプロファイルを含み、ここにおいて、前記Ｔ３Ｔリッスンモードプロファイルが、タイプ３タグ動作を実装する第２のＮＦＣデバイスとの通信を確立するように構成された、請求項９に記載の装置。
【請求項１５】
コンピュータデバイスの処理手段において実行されているとき、請求項１乃至８のいずれかに記載の方法を行うための命令を備える、コンピュータプログラム。
【発明の詳細な説明】
【技術分野】
【０００１】
関連出願の相互参照
[0001]本出願は、本出願の譲受人に譲渡され、その全体が参照により本明細書に明確に組み込まれる、２０１５年９月９日に出願された「NEAR FIELD COMMUNICATION FORUM LISTEN MODE PROFILES」と題する米国非仮出願第１４／８４９，３３４号、および２０１５年２月１９日に出願された「NEAR FIELD COMMUNICATION FORUM LISTEN MODE PROFILES」と題する米国仮出願第６２／１１８，２１５号の優先権を主張する。
【背景技術】
【０００２】
[0002]開示される態様は、一般に近傍界通信（near field communication）に関し、より詳細には、１つまたは複数のリッスンモードプロファイルに基づいて近傍界通信デバイスを構成すること（configuring）に関する。
【０００３】
[0003]技術の進歩は、より小型でより強力なパーソナルコンピューティングデバイスをもたらした。たとえば、現在、それぞれ小型で、軽量で、ユーザによって容易に持ち運ばれ得る、ポータブルワイヤレス電話、携帯情報端末（ＰＤＡ）およびページングデバイスなど、ワイヤレスコンピューティングデバイスを含む、様々なポータブルパーソナルコンピューティングデバイスが存在する。より具体的には、ポータブルワイヤレス電話は、たとえば、ワイヤレスネットワークを介して音声およびデータパケットを通信するセルラー電話をさらに含む。多くのそのようなセルラー電話は、計算能力が常に（ever）増加して製造され、したがって、小型パーソナルコンピュータおよびハンドヘルドＰＤＡと同等に（tantamount）なりつつある。さらに、そのようなデバイスは、セルラー通信、ワイヤレスローカルエリアネットワーク（ＷＬＡＮ）通信、近傍界通信（ＮＦＣ）など、様々な周波数および適用可能なカバレージエリアを使用する通信を可能にしている。
【０００４】
[0004]ＮＦＣフォーラムは、異なるＮＦＣデバイス間のグローバルインターオペラビリティ（interoperability）を保証し、様々なベンダーにわたってオーバーラップ（overlap）しなければならない共通特徴のセットを定義する。一例では、ＮＦＣフォーラム仕様は、ＮＦＣデバイスのポーリング動作モードに関連する構成パラメータ（configuration parameters）について説明する。ただし（However）、ＮＦＣフォーラムも従来のシステムも、リスニング動作モードで動作するＮＦＣデバイスを構成するための方法を提供しない。したがって、ＮＦＣデバイス構成の改善が望まれ得る。
【発明の概要】
【０００５】
[0005]以下で、１つまたは複数の態様の基本的理解を与えるために、そのような態様の概要を提示する。この概要は、すべての企図された態様の包括的な概観ではなく、すべての態様の主要または重要な要素を識別するものでも、いずれかまたはすべての態様の範囲を定めるものでもない。それの目的は、後で提示されるより詳細な説明の導入として、１つまたは複数の態様の形態のいくつかの概念を提示することである。
【０００６】
[0006]本開示の説明される特徴は、一般に、リスニング動作モードで働く（acting）ＮＦＣデバイスの構成を可能にするための１つまたは複数の改善されたシステム、方法、および／またはデバイスに関する。たとえば、本開示によるＮＦＣ対応デバイス（NFC-enabled device）は、ＮＦＣ対応デバイスを構成するためのパラメータを定義するリスニングモードプロファイルのリストからリスニングモードプロファイルを選択し得る。いくつかの態様では、リスニングモードプロファイルのリストは、ピアツーピア（Ｐ２Ｐ）リッスンモードプロファイル、タイプ３タグ（Ｔ３Ｔ）リッスンモードプロファイル、タイプ４Ａタグ（Ｔ４ＡＴ）リッスンモードプロファイル、またはタイプ４Ｂタグ（Ｔ４ＢＴ）リッスンモードプロファイルのための構成パラメータと対応するパラメータ値とのセットを含み得る。
【０００７】
[0007]例示的な実施形態の一態様によれば、近傍界通信のための方法が説明される。本方法は、リスニング動作モードに入ることを決定することを含み得る。本方法は、さらに、リスニング動作モードに入ることを決定したことに基づいて、複数のリッスンモードプロファイルからリッスンモードプロファイルを識別し、リッスンモードプロファイルに基づいて第１のＮＦＣデバイスを構成し得る。
【０００８】
[0008]例示的な実施形態の一態様によれば、近傍界通信のための装置が説明される。本装置は、リスニング動作モードに入ることを決定するための手段を備え得る。本装置は、リスニング動作モードに入ることを決定するための手段に基づいて、複数のリッスンモードプロファイルからリッスンモードプロファイルを識別するための手段と、リッスンモードプロファイルに基づいて第１のＮＦＣデバイスを構成するための手段とをさらに含み得る。
【０００９】
[0009]例示的な実施形態の一態様によれば、近傍界通信のためのコンピュータ実行可能コードを記憶するコンピュータ可読媒体が開示される。本コンピュータ可読媒体は、リスニング動作モードに入ることを決定するためのコードを備え得る。本コンピュータ可読媒体は、リスニング動作モードに入ることを決定するためのコードに基づいて、複数のリッスンモードプロファイルからリッスンモードプロファイルを識別するためのコードと、リッスンモードプロファイルに基づいて第１のＮＦＣデバイスを構成するためのコードとをさらに含み得る。
【００１０】
[0010]例示的な実施形態の一態様によれば、ワイヤレス通信のためのまた別の装置が開示される。本装置は、複数のリッスンモードプロファイルを記憶するように構成されたメモリと、バスを介してメモリおよびトランシーバに通信可能に結合された少なくとも１つのプロセッサとを含み得る。いくつかの例では、少なくとも１つのプロセッサは、リスニング動作モードに入ることを決定するように構成され得る。本装置は、さらに、リスニング動作モードに入ることを決定したことに基づいて、複数のリッスンモードプロファイルからリッスンモードプロファイルを識別し、リッスンモードプロファイルに基づいて第１のＮＦＣデバイスを構成し得る。
【００１１】
[0011]上記および関係する目的を達成するために、１つまたは複数の態様は、以下で十分に説明され、特に特許請求の範囲で指摘される特徴を備える。以下の説明および添付の図面に、１つまたは複数の態様のいくつかの例示的な特徴を詳細に記載する。ただし、これらの特徴は、様々な態様の原理が採用され得る様々な方法のほんのいくつかを示すものであり、この説明は、すべてのそのような態様およびそれらの均等物を含むものとする。
【００１２】
[0012]開示される態様は、開示される態様を限定するためではなく、例示するために与えられる、添付の図面とともに以下で説明され、同様の表示は同様の要素を示す。
【図面の簡単な説明】
【００１３】
【図１】[0013]本開示の一態様による、ワイヤレス通信システムのブロック図。
【図２】[0014]本開示の一態様による、ワイヤレス通信システムの概略図。
【図３】[0015]本開示の一態様による、ＮＦＣ環境のブロック図。
【図４】[0016]本開示の一態様による、動作モードを選択する一態様について説明するフローチャート。
【図５】[0017]本開示の一態様による、別のＮＦＣ環境のブロック図。
【図６】[0018]本開示の一態様による、通信デバイスの例示的なアーキテクチャ機能ブロック図。
【発明を実施するための形態】
【００１４】
[0019]次に、図面を参照しながら様々な態様が説明される。以下の説明では、説明の目的で、１つまたは複数の態様の完全な理解を与えるために多数の具体的な詳細が記載される。ただし、そのような（１つまたは複数の）態様は、これらの具体的な詳細なしに実施され得ることを理解されたい。一態様では、本明細書で使用される「構成要素」という用語は、システムを構成する部分のうちの１つであり得、ハードウェア、ファームウェア、および／またはソフトウェアであり得、他の構成要素に分割され得る。
【００１５】
[0020]ＮＦＣデバイスは、１つまたは複数のＮＦＣ動作モードに従って動作し得る。いくつかの態様では、ＮＦＣデバイスは、ポーリング動作モードまたはリスニング動作モードに従って動作し得る。ＮＦＣデバイスがポーリング動作モードに従って働いているのかリスニング動作モードに従って働いているのかを識別することは、ＮＦＣデバイスを、たとえば、リーダー／ライターとして構成すべきなのか、カードエミュレータとして構成すべきなのかを規定し（dictate）得る。リーダー／ライターとして働きながら、ＮＦＣデバイスは、受動トランスポンダ／タグに電力供給する（powers）電磁界を放出し得る。したがって、いくつかの態様では、リーダー／ライターとして働くＮＦＣデバイスは、ＮＦＣ準拠受動（たとえば、バッテリーをもたない）トランスポンダ／タグに記憶されたデータを読み取り、変更し得る。タグは、リーダー／ライターとして働くＮＦＣデバイスを用いてタグを読み取ることによって追加情報の検索（retrieval）を可能にし得る。追加または代替として、カードエミュレータとして働くＮＦＣデバイスは、スマートカード（たとえば、ＩＳＯ１４４４３）と同様の機能を実行し得る。エミュレートされたスマートカードは、次いで、限定はしないが、ＮＦＣポイントオブセール（point-of-sale）端末など、外部ＮＦＣリーダーによってアクセスされ得る。
【００１６】
[0021]上記で説明されたように、従来のシステムは、ＮＦＣデバイスがポーリングモード構成パラメータに基づいて容易に構成されることを可能にする１つまたは複数のポーリングモードプロファイルを与える。しかしながら、従来のシステムは、ＮＦＣデバイスのための同様の構成アクセシビリティをリスニング動作モードで与えることができない（fail to）。たとえば、イニシエータデバイスがターゲットデバイスと通信し得るピアツーピア（Ｐ２Ｐ）通信では、現在の仕様は、Ｐ２Ｐイニシエータデバイスをセットアップするための構成パラメータを与えるが、Ｐ２Ｐターゲットデバイスをセットアップするための構成パラメータをサポートすることができない。したがって、本開示の態様は、構成パラメータと対応するパラメータ値とのセットを含む１つまたは複数のリッスンモードプロファイルに基づいて、リスニング動作モードでＮＦＣデバイスを構成するための方法を提供する。いくつかの態様では、１つまたは複数のリッスンモードプロファイルは、限定はしないが、Ｐ２Ｐリッスンモードプロファイル、タイプ３タグ（Ｔ３Ｔ）リッスンモードプロファイル、タイプ４Ａタグ（Ｔ４ＡＴ）リッスンモードプロファイル、またはタイプ４Ｂタグ（Ｔ４ＢＴ）リッスンモードプロファイルを含み得る。
【００１７】
[0022]図１を参照すると、本明細書で説明される様々な態様による、ワイヤレス通信システム１００は、ＮＦＣ通信が可能な送信機１０４および受信機１０８を含み、ここで、受信機１０８は１つまたは複数のリッスンモードプロファイルに基づいてリスニング動作モードを構成するための、本明細書で説明される１つまたは複数の態様を実装し（implement）得る。いくつかの例では、図１は、それぞれＮＦＣデバイスの一部であり得る送信機１０４および受信機１０８の高レベル（high-level）実装形態を示す。送信機１０４および／または受信機１０８として動作するＮＦＣデバイス（たとえば、それぞれ、リモートＮＦＣデバイス３５０および／またはＮＦＣデバイス３１０）の詳細なハードウェア概略図が、図７に示されている。いくつかの態様では、受信機１０８は、ＮＦＣデバイス３１０（図３）の一部として含まれ得る。詳細には、たとえば、送信機１０４および／または受信機１０８は、トランシーバ３６０（図３）を形成するか、または場合によっては（otherwise）、その一部であり得る。さらに、送信アンテナは、場合によっては、アンテナ３４５（図３）の一部であり得る。入力電力１０２は、エネルギー伝達を行うための放射誘導界（radiated inductive field）１０６を生成するために送信機１０４に供給される。受信機１０８は、放射誘導界１０６に結合し、出力電力１１０に結合されたデバイス（図示せず）による蓄積または消費のための出力電力１１０を生成する。送信機１０４と受信機１０８の両方は、本明細書ではオペレーティングボリューム（ＯＶ：operating volume）とも呼ばれる距離１１２だけ分離される。一例では、送信機１０４および受信機１０８は相互共振関係に従って構成され、受信機１０８の共振周波数と送信機１０４の共振周波数とがしきい値ＯＶ内にあるとき、送信機１０４と受信機１０８との間の伝送損失は、（たとえば、受信機１０８が放射誘導界１０６の「近傍界」にあるとき）最小になる。
【００１８】
[0023]送信機１０４は、エネルギーおよび信号を送信するための送信アンテナ１１４をさらに含む。受信機１０８は、必要な場合、信号およびエネルギーを受信するための受信アンテナ１１８を含む。送信アンテナ１１４および受信アンテナ１１８は、アプリケーションとそれに関連するデバイスとに従ってサイズ決定され（sized）得る。上述のように、エネルギーの大部分を電磁波で遠方界に伝搬するのではなく、送信アンテナ１１４の近傍界におけるエネルギーの大部分を受信アンテナ１１８に結合することによって、効率的なエネルギー伝達が行われ得る。この近傍界にあるとき、送信アンテナ１１４と受信アンテナ１１８との間に結合モードが生じ得る。この近傍界結合が行われ得るアンテナ１１４および１１８の周りのエリアは、本明細書では結合モード領域と呼ばれる。
【００１９】
[0024]いくつかの構成では、送信機１０４および受信機１０８が極めて近接している場合、信号を処理するアンテナ１１４、１１８に関係する（related to）整合（matching）ネットワーク（図示せず）は、送信機１０４と受信機１０８との間で通信された信号における高い相互結合により離調され（detuned）得、したがって、送信機１０４と受信機１０８との間の通信が中断し（break down）得る。この状態は、本明細書では過剰結合（over-coupling）と呼ばれる。そのような例では、本明細書でさらに説明されるように、送信機１０４は、受信機１０８または関係する受信アンテナ１１８とのそのような過剰結合を検出することができ、送信機１０４において１つまたは複数の送信および／または受信パラメータを変更する（modifying）ことによってその状態を緩和することを試みることができる。
【００２０】
[0025]上記で説明されたように、ＮＦＣデバイス（たとえば、送信機１０４および／または受信機１０８）は、１つまたは複数のＮＦＣ動作モードに従って動作し得る。詳細には、ＮＦＣデバイスは、ポーリング動作モードまたはリスニング動作モードに従って動作し得る。したがって、いくつかの態様では、送信機１０４はポーリング動作モードで動作するように構成され得、受信機１０８はリスニング動作モードで動作し得る。送信機１０４および受信機１０８の各々は、ポーリングモードまたはリッスンモードで動作するように、それぞれのＮＦＣデバイス（たとえば、送信機１０４および／または受信機１０８）を構成するためのプロセッサ６０６（図６）を含み得る。いくつかの例では、プロセッサは、ＮＦＣデバイス（たとえば、送信機１０４および／または受信機１０８）上で実行している少なくとも１つまたは複数のアプリケーションの特性に基づいてポーリング動作モードまたはリスニング動作モードのうちの１つを選択し得るモード選択構成要素３１５（図３）を含み得る。一態様では、たとえば、モード選択構成要素３１５は、ハードウェア（たとえば、１つまたは複数のプロセッサ６０６−ａ、６０６−ｂまたは６０６（図６参照）の１つまたは複数のプロセッサモジュール）、および／または、コンピュータ可読媒体（たとえば、メモリ６０８、図６参照）上に記憶され、本明細書で説明される特別に構成されたモード選択関係行為を実行するために１つまたは複数のプロセッサのうちの少なくとも１つによって実行可能なソフトウェアコードまたは命令を含み得る。たとえば、これに限定しないが、１つまたは複数のアプリケーションが、ＮＦＣデバイスのメモリに記憶されたクレジットカード情報を介したベンダー（たとえば、コーヒーショップ）への支払いを可能にするためのモバイル支払いアプリケーションである場合、モード選択構成要素３１５は、ＮＦＣデバイスのためのリスニング動作モードを選択し得る。代替的に、１つまたは複数のアプリケーションが、ユーザがＮＦＣデバイス上の１つまたは複数のデータファイル（たとえば、写真または連絡先情報）をリモートＮＦＣデバイスと共有するために選択し得るデータ共有アプリケーションである場合、モード選択構成要素３１５は、共有を可能にするためのポーリング動作モードを選択し得る。
【００２１】
[0026]追加または代替として、プロセッサ６０６は、利用可能な複数のポールモード／リッスンモードプロファイルからプロファイルを識別し、選択するためのプロファイル選択構成要素３２０を含み得る。一態様では、たとえば、プロファイル選択構成要素３２０は、ハードウェア（たとえば、１つまたは複数のプロセッサ６０６−ａ、６０６−ｂまたは６０６（図６参照）の１つまたは複数のプロセッサモジュール）、および／または、コンピュータ可読媒体（たとえば、メモリ６０８、図６参照）上に記憶され、本明細書で説明される特別に構成されたモード選択関係行為を実行するために１つまたは複数のプロセッサのうちの少なくとも１つによって実行可能なソフトウェアコードまたは命令を含み得る。いくつかの例では、送信機１０４および／または受信機１０８は、（たとえば、モード選択構成要素３１５を介して）動作モードを選択すると、モード選択に基づいて各デバイスを構成するために、それぞれ、ポールモードプロファイルのセットからポールモードプロファイルを識別するか、または、リッスンモードプロファイルのセットからリッスンモードプロファイルを識別し得る。本開示の態様によれば、リッスンモードプロファイルのセットは、少なくとも１つのリッスン状態（listen state）のための構成パラメータ値を含み得る。リッスンモードプロファイルのセットは、限定はしないが、ピアツーピア（Ｐ２Ｐ）リッスンモードプロファイル、タイプ３タグ（Ｔ３Ｔ）リッスンモードプロファイル、タイプ４Ａタグ（Ｔ４ＡＴ）リッスンモードプロファイル、およびタイプ４Ｂタグ（Ｔ４ＢＴ）リッスンモードプロファイルを含み得る。リッスンモードプロファイルの各々のための構成パラメータと対応するパラメータ値とのセットが、図３を参照しながら開示される。
【００２２】
[0027]いくつかの態様では、プロセッサ６０６は、プロファイル選択構成要素３２０によって選択されたプロファイルに基づいて送信機１０４および／または受信機１０８を構成するためのデバイス構成構成要素（device configuration component）３３５（図３）をさらに含み得る。一態様では、たとえば、プロファイル選択構成要素３２０は、ハードウェア（たとえば、１つまたは複数のプロセッサ６０６−ａ、６０６−ｂまたは６０６（図６参照）の１つまたは複数のプロセッサモジュール）、および／または、コンピュータ可読媒体（たとえば、メモリ６０８、図６参照）上に記憶され、本明細書で説明される特別に構成されたモード選択関係行為を実行するために１つまたは複数のプロセッサのうちの少なくとも１つによって実行可能なソフトウェアコードまたは命令を含み得る。選択されたプロファイルに基づいてＮＦＣデバイスを構成することは、ＮＦＣデバイスがイニシエータまたはターゲットデバイスとして機能することを可能にするために、ＮＦＣデバイスにおいて１つまたは複数の構成パラメータと対応するパラメータ値とを変更することを含み得る。たとえば、ピアツーピア（Ｐ２Ｐ）通信が選択されたとき、イニシエータデバイス（たとえば、送信機１０４）は、Ｐ２Ｐポールモードプロファイルによって与えられる値を利用して構成され得、ターゲットデバイス（たとえば、受信機１０８）は、Ｐ２Ｐリッスンモードプロファイルにおいて与えられる構成値に基づいて１つまたは複数の構成パラメータを変更し得る。本開示のいくつかの例では、リッスンモードプロファイル３２５のセットのうちの１つの選択および実行は、通信確立プロシージャ中にユーザ介入（user intervention）なしに行われ得る。
【００２３】
[0028]図２を参照すると、例示的な近傍界ワイヤレス通信システム２００は、ＮＦＣ通信が可能な送信機１０４および受信機１０８を含み、ここで、受信機１０８は、１つまたは複数のリッスンモードプロファイルに基づいてリスニング動作モードを構成するための、本明細書で説明される１つまたは複数の態様を実装し得る。送信機１０４は、発振器２２２と、電力増幅器２２４と、フィルタおよび整合回路２２６とを含む。いくつかの態様では、送信機１０４は、ＮＦＣデバイス３１０（図３）の一部として含まれ得る。詳細には、たとえば、送信機１０４は、トランシーバ３６０（図３）を形成するか、または場合によっては、その一部であり得る。さらに、送信アンテナは、アンテナ３４５（図３）を形成する場合によっては、その一部であり得る。発振器２２２は、調整信号２２３に応答して調整され得る、所望の周波数で信号を生成するように構成される。発振器信号は、制御信号２２５に応答する増幅量で電力増幅器２２４によって増幅され得る。フィルタおよび整合回路２２６は、高調波または他の不要な周波数をフィルタ除去し、送信機１０４のインピーダンスを送信アンテナ１１４に整合させるために含まれ得る。
【００２４】
[0029]受信機１０８は、図２に示されているようにバッテリー２３６を充電するか、または受信機に結合されたデバイス（図示せず）に電力供給するためにＤＣ電力出力を生成するために、整合回路２３２と、整流器およびスイッチング回路２３４とを含み得るが、磁界によって電力供給することが必要とされないことがあるように、（たとえば、ピアツーピア通信において）デバイスがそれぞれバッテリーを有し得ることを諒解されたい。整合回路２３２は、受信機１０８のインピーダンスを受信アンテナ１１８に整合させるために含まれ得る。いくつかの態様では、受信機１０８は、ＮＦＣデバイス３１０（図３）の一部として含まれ得る。受信機１０８および送信機１０４は、一例では、別個の通信チャネル２１９（たとえば、Ｂｌｕｅｔｏｏｔｈ（登録商標）、ＷｉＦｉ（登録商標）、ｚｉｇｂｅｅ、セルラーなど）上で通信し得る。
【００２５】
[0030]図３を参照すると、一態様では、通信ネットワーク３００は、ＮＦＣデバイス３１０とリモートＮＦＣデバイス３５０とを含み得、その両方は、ＮＦＣを使用して通信するように構成され得、その両方は、１つまたは複数のリッスンモードプロファイルに基づいてリスニング動作モードを構成するための、本明細書で説明される１つまたは複数の態様を実装し得る。この例では、上記で説明されたように、リモートＮＦＣデバイス３５０は、送信機１０４の１つまたは複数の構成要素として働いており、およびそれらを含み得、ＮＦＣデバイス３１０は、受信機１０８の１つまたは複数の構成要素として働いており、およびそれらを含み得る。ＮＦＣデバイス３１０は、トランシーバ３４０とアンテナ３４５とを含み得、それらの各々は、ＮＦＣを使用してリモートＮＦＣデバイス３５０との通信を可能にするように構成され得る。たとえば、リモートＮＦＣデバイス３５０は、ＮＦＣ無線インターフェースを介してＮＦＣデバイス３１０にワイヤレスに接続された、リモートデバイス、カード、またはタグに対応し得る。トランシーバ３４０は、アップリンクデータ送信を可能にするための送信機無線機（transmitter radio）３４２と、ダウンリンクデータ受信を可能にするための受信機無線機３４４とをさらに含み得る。
【００２６】
[0031]追加または代替として、ＮＦＣデバイス３１０は、ＮＦＣデバイス３１０を構成するためにデバイス構成構成要素３３５から取得された情報を利用するためのＮＦＣコントローラ（図６）を備えるＮＦＣモジュール３４３を含み得る。いくつかの例では、ＮＦＣモジュール３４３は、ＮＦＣデバイス３１０および任意の周辺機器の管理全体を担当する実行環境であり得るか、または場合によっては、その形態をとり得るデバイスホスト（図６）をも含み得る。これは、ＮＦＣコントローラの管理（たとえば、初期化、構成、電力管理など）を含み得る。またさらに、ＮＦＣモジュール３４３は、少なくともデバイスホストとＮＦＣコントローラとの間の通信を可能にするように構成されたＮＦＣコントローラインターフェース（ＮＣＩ）（図６）を含み得る。たとえば、ＮＣＩは、デバイスホストとＮＦＣコントローラとの間の論理インターフェースであり得る。ＮＦＣデバイス３１０は、１つまたは複数の構成要素（たとえば、モード選択構成要素３１５、デバイス構成構成要素３３５、ＮＦＣモジュール３４３、トランシーバ３４０、アンテナ３４５およびプロファイル選択構成要素３２０）を結合するための、ならびに、ＮＦＣデバイス３１０内の構成要素および副構成要素の各々の間でデータを転送するためのバス３０２をさらに含み得る。
【００２７】
[0032]いくつかの例では、ＮＦＣデバイス３１０は、ポーリング動作モード３１６に入るべきであるのかリスニング動作モード３１７に入るべきであるのかを決定するように構成されたモード選択構成要素３１５を含み得る。いくつかの態様では、モード選択構成要素３１５は、ＮＦＣデバイス３１０上で実行している少なくとも１つまたは複数のアプリケーションの特性に基づいてポーリング動作モードまたはリスニング動作モードのうちの１つを選択し得る。たとえば、これに限定しないが、１つまたは複数のアプリケーションが、ＮＦＣデバイス３１０のメモリに記憶されたクレジットカード情報を介したベンダー（たとえば、コーヒーショップ）への支払いを可能にする（facilitating）ためのモバイル支払いアプリケーションである場合、モード選択構成要素３１５は、ＮＦＣデバイス３１０のためのリスニング動作モードを選択し得る。代替的に、１つまたは複数のアプリケーションが、ユーザがＮＦＣデバイス３１０上の１つまたは複数のデータファイル（たとえば、写真または連絡先情報）をリモートＮＦＣデバイス３５０と共有するために選択し得るデータ共有アプリケーションである場合、モード選択構成要素３１５は、共有を可能にするためのポーリング動作モードを選択し得る。図示の例では、ＮＦＣデバイス３１０はリスニングモードで動作するように構成され得、リモートＮＦＣデバイス３５０はポーリングモードで動作するように構成され得る。したがって、リモートＮＦＣデバイス３５０に関連するトランシーバは、近傍界通信におけるデータ転送を可能にするために放射誘導界を生成し得る。代替的に、ＮＦＣ３１０に関連するトランシーバ３４０は、リモートＮＦＣデバイス３５０からの信号およびエネルギーを受信するための受信アンテナを含み得る。
【００２８】
[0033]ＮＦＣデバイス３１０は、プロファイル選択構成要素３２０をさらに含み得る。いくつかの例では、プロファイル選択構成要素３２０は、それぞれ、ＮＦＣデバイス３１０のメモリ６０８（図６）に記憶された、リッスンモードプロファイル３２５のセットまたはポールモードプロファイル３３０のセットからリッスンモードプロファイルまたはポールモードプロファイルを識別し得る。一態様では、リッスンモードプロファイル３２５のセットまたはポールモードプロファイル３３０のセットの各々は、それぞれ、１つまたは複数のプロファイルを含み得る。いくつかの態様では、プロファイル選択構成要素３２０は、ＮＦＣデバイス３１０によってサポートされる１つまたは複数のプロトコルを決定したことに基づいて、リッスンモードプロファイル３２５のセットからリッスンモードプロファイルを識別し得る。
【００２９】
[0034]追加または代替として、リッスンモードプロファイル３２５のセットの各々は、少なくとも１つのリッスン状態のための構成パラメータ（たとえば、Ｐ２Ｐリッスンプロファイル構成パラメータ３４６）および対応するパラメータ値（たとえば、Ｐ２Ｐリッスンプロファイル構成パラメータ３４７）とを含み得る。リッスンモードプロファイル３２５のセットは、限定はしないが、ピアツーピア（Ｐ２Ｐ）リッスンモードプロファイル３２６、タイプ３タグ（Ｔ３Ｔ）リッスンモードプロファイル３２７、タイプ４Ａタグ（Ｔ４ＡＴ）リッスンモードプロファイル３２８、またはタイプ４Ｂタグ（Ｔ４ＢＴ）リッスンモードプロファイル３２９を含み得る。いくつかの例では、ポールモードプロファイル３３０のセットは、限定はしないが、ピアツーピア（Ｐ２Ｐ）ポールモードプロファイル３３３、ＮＦＣデータ交換フォーマット（ＮＤＥＦ）ポールモードプロファイル３３４、またはＰ２ＰＮＤＥＦポールモードプロファイル３３６を含み得る。一例では、Ｐ２Ｐリッスンモードプロファイル３２６は、Ｐ２Ｐリッスン状態のための構成パラメータ３４６と対応する値３４７とのセットを含み得る。Ｐ２Ｐリッスンモードプロファイル３２６は、ＮＦＣデータ交換プロトコル（ＮＦＣ−ＤＥＰ：NFC data exchange protocol）を使用してリモートＮＦＣデバイス３５０との通信を確立するように構成され得る。いくつかの態様では、Ｐ２Ｐリッスン状態のための構成パラメータと対応するパラメータ値とのセットは、以下の表１に基づいて定義され得、ここにおいて、各パラメータおよび対応するパラメータ値は以下の表に含まれる。
【００３０】
【表１】
0006728204.tif 000002
【００３１】
[0035]さらに、たとえば、Ｔ３Ｔリッスンモードプロファイル３２７は、Ｔ３Ｔリッスン状態のための構成パラメータ３４８と対応するパラメータ値３４９とのセットを含み得る。いくつかの例では、Ｔ３Ｔリッスンモードプロファイル３２７は、タイプ３タグ動作を実装するリモートＮＦＣデバイス３５０との通信を確立するように構成され得る。いくつかの態様では、Ｔ３Ｔリッスン状態のための構成パラメータと対応するパラメータ値とのセットは、以下の表２に基づいて定義され得、ここにおいて、各パラメータおよび対応するパラメータ値は以下の表に含まれる。
【００３２】
【表２】
0006728204.tif 000003
【００３３】
[0036]また別の例では、Ｔ４ＡＴリッスンモードプロファイル３２８は、Ｔ４ＡＴリッスン状態のための構成パラメータ３５０と対応するパラメータ値３５１とのセットを含み得る。いくつかの例では、Ｔ４ＡＴリッスンモードプロファイル３２８は、ＮＦＣタイプ−Ａ（ＮＦＣ−Ａ）無線周波数技術を使用してタイプ４タグ動作を実装するリモートＮＦＣデバイス３５０との通信を確立するように構成され得る。Ｔ４ＡＴリッスン状態のための構成パラメータと対応するパラメータ値とのセットは、以下の表３に基づいて定義され得、ここにおいて、各パラメータおよび対応するパラメータ値は以下の表に含まれる。
【００３４】
【表３】
0006728204.tif 000004
【００３５】
[0037]さらなる例では、Ｔ４ＢＴリッスンモードプロファイル３２９は、Ｔ４ＢＴリッスン状態のための構成パラメータ３５２と対応するパラメータ値３５３とのセットを含み得る。Ｔ４ＢＴリッスンモードプロファイル３２９は、ＮＦＣタイプ−Ｂ（ＮＦＣ−Ｂ）無線周波数技術を使用してタイプ４タグ動作を実装するリモートＮＦＣデバイス３５０との通信を確立するように構成され得る。いくつかの態様では、Ｔ４ＢＴリッスン状態のための構成パラメータと対応するパラメータ値とのセットは、以下の表４に基づいて定義され得、ここにおいて、各パラメータおよび対応するパラメータ値は以下の表に含まれる。
【００３６】
【表４】
0006728204.tif 000005
【００３７】
[0038]したがって、デバイス構成構成要素３３５は、プロファイル選択構成要素３２０によって識別されたリッスンモードプロファイル３２５のセットのうちの少なくとも１つに基づいてＮＦＣデバイス３１０を構成し得る。本開示のいくつかの例では、リッスンモードプロファイル３２５のセットのうちの１つの選択および実行は、通信プロセス中にユーザ介入なしに行われ得る。
【００３８】
[0039]図４を参照すると、ポーリング動作モードに入るべきであるのかリスニング動作モードに入るべきであるのかを決定するための方法４００が説明され、図１および図２の送信機１０４および／または受信機１０８など、あるいは、図３のＮＦＣデバイス３１０および／またはリモートＮＦＣデバイス３５０など、ＮＦＣデバイスによって実装され得る。ブロック４０５において、方法４００は、ＮＦＣに関連する１つまたは複数のアプリケーションがアクティブにされることに基づいて開始し（start）得る。たとえば、ＮＦＣデバイスのメモリに記憶されたクレジットカード情報を介したベンダー（たとえば、コーヒーショップ）への支払いを可能にするモバイル支払いアプリケーションの事例では、ユーザがモバイルデバイス上でモバイル支払いアプリケーションを起動する（launches）とき、ＮＦＣ構成がアクティブにされ得る。別の例では、ＮＦＣデバイス構成は、ＮＦＣデバイスツーデバイスデータ転送アプリケーション（たとえば、写真共有アプリケーション）が１つまたは複数のモバイルデバイスによって起動されるとき、開始され（initiated）得る。たとえば、ユーザは、モバイルデバイス上でのデータの送信を、別のデバイスとの物理的な接触を行うことによって開始し得る。物理的な接触は、「タップ」または「タッピング」と呼ばれる任意のタイプの物理的タッチであり得る。したがって、「タップ」がＮＦＣデバイスによって検出されたとき、ＮＦＣデバイスは、複数のモバイルデバイス間のデータ転送を可能にするためにＮＦＣ構成を開始し得る。いくつかの例では、ＮＦＣデバイスは、ブロック４０５より前にアイドルモードにあるか、または電源切断され（powered off）得る。
【００３９】
[0040]ブロック４１０において、方法４００は、ＮＦＣデバイスが、ポーリングモードに入るべきであるのかリスニングモードに入るべきであるのかを決定することを含み得る。たとえば、一態様では、モード選択構成要素３１５は、ポーリングモードに入るべきであるのかリスニングモードに入るべきであるのかを決定し得る。いくつかの態様では、ＮＦＣデバイスは、ＮＦＣデバイス上の少なくとも１つのアプリケーションの特性を識別することによってポーリング動作モードに入るべきであるのかリスニング動作モードに入るべきであるのかを決定し得る。いくつかの例では、ＮＦＣデバイスは、少なくとも１つのアプリケーションの特性に基づいてリスニング動作モードを選択し得る。たとえば、上記で説明されたように、１つまたは複数のアプリケーションが、ＮＦＣデバイスのメモリに記憶されたクレジットカード情報を介したベンダー（たとえば、コーヒーショップ）への支払いを可能にするためのモバイル支払いアプリケーションである場合、ＮＦＣデバイスは、ＮＦＣデバイスのためのリスニング動作モードを選択し得る。代替的に、１つまたは複数のアプリケーションが、ユーザがＮＦＣデバイス上の１つまたは複数のデータファイル（たとえば、写真または連絡先情報）をリモートＮＦＣデバイスと共有するために選択し得るデータ共有アプリケーションである場合、ＮＦＣデバイスは、共有を可能にするためのポーリング動作モードを選択し得る。
【００４０】
[0041]ブロック４１０において、方法４００がポーリング動作モードに入ることを決定した場合、ＮＦＣデバイスは、ブロック４１５において、ＮＦＣフォーラム仕様によって定義されたものなど、ポールモードプロファイル３３０のうちの１つまたはそのセットを選択し得る。たとえば、一態様では、プロファイル選択構成要素３２０は、ＮＦＣデバイス構成のためのポールモードプロファイル３３０のうちの１つまたはそのセットを選択し得る。代替的に、ブロック４１０において、方法がリスニング動作モードに入ることを決定した場合、ＮＦＣデバイスは、ブロック４２０において、上記で識別されたように、リッスンモードプロファイル３２５のうちの１つまたはそのセットを選択し得る。ブロック４２０の態様は、図３を参照しながら説明されたプロファイル選択構成要素３２０によって実行され得る。
【００４１】
[0042]ブロック４２５において、選択されたプロファイルに基づいてＮＦＣデバイスが構成され得る。たとえば、一態様では、デバイス構成構成要素３３５は、（１つまたは複数の）ポールモードプロファイルまたは（１つまたは複数の）リッスンモードプロファイルのうちの選択された１つまたはそのセットに基づいてＮＦＣデバイスを構成し得る。たとえば、ＮＦＣデバイスがリッスンモードプロファイルに入るとき、ＮＦＣデバイスは、少なくとも１つのリッスン状態のための、表１〜表４で上記で説明された構成パラメータおよび対応する構成値に基づいて構成され得る。
【００４２】
[0043]図５を参照すると、一態様による通信ネットワーク５００は、ＮＦＣを使用して通信するように構成され得るＮＦＣデバイス５０２およびリモートＮＦＣデバイス５０４を含み得る。ＮＦＣデバイス５０２およびリモートＮＦＣデバイス５０４は、図３のＮＦＣデバイス３１０およびリモートＮＦＣデバイス３５０と同じであるか、またはそれと同様で（similar to）あり得、したがって、図５は、図３に示されていない追加の構成要素を含むことに留意されたい。ＮＦＣデバイス５０２は、同様のＮＦＣコイル５２６を有し得るリモートＮＦＣデバイス５０４とのＮＦＣ通信を可能にするように構成されたＮＦＣアンテナコイル５０６を含み得る。ＮＦＣデバイス５０２は、ＮＦＣデバイス３１０（図３）と同じであるか、またはそれと同様であり得る。たとえば、ＮＦＣデバイス５０２は、モード選択構成要素３１５（図３）と、プロファイル選択構成要素３２０（図３）と、デバイス構成構成要素３３５（図３）と、ＮＦＣモジュール３４３（図３）とを含み得る。さらに、リモートＮＦＣデバイス５０４は、リモートＮＦＣデバイス３５０（図３）と同じであるか、またはそれと同様であり得る。
【００４３】
[0044]ＮＦＣ通信の一部として、ＮＦＣアンテナコイル５０６は、ＮＦＣアンテナコイル５０６の周りのエリア中に電磁界を生成し得る。電磁界の強度は、電源ならびにＮＦＣアンテナコイル５０６のサイズおよび巻数（number of turns）に依存し得る。さらに、インピーダンス不整合は、磁界５２８中でＮＦＣアンテナコイル５０６のサイズおよびインダクタンスに依存する様々な（a range of）振幅／位相変化を生じ得る。キャパシタ５１８は、ＮＦＣアンテナコイル６０６と並列に接続され得、ここで、送信機構成要素５１２およびキャパシタ５１８は、ＮＦＣデバイス５０２の１つまたは複数の送信周波数に対応する周波数をもつ共振回路を確立するＲＬＣ発振器を形成し得る。
【００４４】
[0045]使用される周波数の波長が、ＮＦＣアンテナコイル５０６とリモートＮＦＣデバイス３０４のアンテナコイル５２６との間の極近傍距離（close proximity distance）よりも数倍大きいので、電磁界は交番磁界（alternating magnetic field）５２８として扱われ得る。極近傍のこの領域は近傍界領域と呼ばれる。ＮＦＣデバイス５０２とリモートＮＦＣデバイス５０４とは、空芯トランスフォーマ（air core transformer）の場合のように、それらの相互インダクタンスによってリンクされ、１次コイルがＮＦＣアンテナコイル３０６であり、２次コイルがリモートＮＦＣデバイス５０４のアンテナコイル５２６であり得る。交番磁界５２８は、それが近傍界領域にあるとき、リモートＮＦＣデバイス３０４のアンテナコイル５２６に侵入し、リモートＮＦＣデバイス５０４のアンテナコイル５２６中に交流を誘起する（inducing）。
【００４５】
[0046]リスニングモードで動作するとき、ＮＦＣアンテナコイル５０６、キャパシタ５２０、随意の（optional）エネルギーハーベスタ（ＥＨ：energy harvester）５１６および受信機構成要素５１４は、リモートＮＦＣデバイス５０４による信号の変調が検出され得る（over which）共振回路を確立するＲＬＣ発振器を形成し得る。送信モードで動作するとき、ＮＦＣデバイス５０２は、リモートＮＦＣデバイス５０４にデータを転送するための送信信号を送るために、ＮＦＣアンテナコイル５０６に可変負荷抵抗を付加し（apply）、それにより、磁界５２８を変調し得る。
【００４６】
[0047]図６を参照すると、通信デバイス６００は、ＮＦＣデバイス３１０、５０２、リモートＮＦＣデバイス３５０、５０４などの例を表し得、したがって、それの構成要素を含み、および／または上記で説明された関連する機能を実行し得る。図６に示されているように、通信デバイス６００は、たとえば、受信アンテナ（図示せず）から信号を受信し、受信信号に対して典型的な行為（たとえば、フィルタ処理、増幅、ダウンコンバートなど）を実行し、サンプルを取得するために調整された信号をデジタル化する、受信機６０２を含む。受信機６０２は、受信シンボルを復調し、それらをチャネル推定のためにプロセッサ６０６に与えることができる、復調器６０４を含むことができる。
【００４７】
[0048]いくつかの態様では、プロセッサ６０６は、受信機６０２によって受信された情報を分析すること、および／または送信機６２０による送信のための情報を生成することに専用のプロセッサ、通信デバイス６００の１つまたは複数の構成要素を制御するプロセッサ、ならびに／あるいは受信機６０２によって受信された情報を分析することと、送信機６２０による送信のための情報を生成することと、通信デバイス６００の１つまたは複数の構成要素を制御することとを両方とも行うプロセッサであり得る。さらに、変調器６１７を介した送信機６２０による送信のための信号が準備され得、変調器６１７は、プロセッサ６０６によって処理された信号を変調し得る。
【００４８】
[0049]通信デバイス６００は、プロセッサ６０６に動作可能に結合され、送信されるべきデータ、受信データ、利用可能なチャネルに関係する情報、ＴＣＰフロー、分析された信号および／または干渉強度に関連するデータ、割り当てられたチャネル、電力、レートなどに関係する情報、およびチャネルを推定し、そのチャネルを介して通信するための他の適切な情報を記憶することができるメモリ６０８をさらに含むことができる。いくつかの例では、上記で説明された１つまたは複数のリッスンモードプロファイル３２５またはポールモードプロファイル３３０は、メモリ７０８に記憶され得る。
【００４９】
[0050]さらに、送信機６２０は、送信回路において送信されるキャリアのための送信信号を生成することができ、受信機６０２は、受信回路において受信されるキャリアを受信することができる。説明されるように、送信機６２０は受信機６０２にループバックされ得、したがって、受信機６０２は変調されていないキャリアを受信することができる。プロセッサ６０６は、受信された変調されていないキャリアを送信機６２０によって生成された送信信号と比較することに基づいて、別の通信デバイスとの過剰結合状態（over-coupling condition）を検出することができる。説明されるように、過剰結合状態が生じた場合、これは、受信されたキャリアおよび送信信号の位相、振幅、ＤＣレベル、または他のメトリックの間のしきい値差に基づいて検出され得る。過剰結合状態が検出されたとき、プロセッサ６０６は、過剰結合状態を緩和するために、説明されるように、送信機６２０または受信機６０２の送信または受信メトリックを変更するためのＴｘ／Ｒｘパラメータ構成要素６５２を含むことができるか、または実装することができる。
【００５０】
[0051]本明細書で説明されるデータストア（たとえば、メモリ６０８）は、揮発性メモリまたは不揮発性メモリのいずれかであり得るか、あるいは揮発性メモリと不揮発性メモリの両方を含むことができることを諒解されよう。限定ではなく例として、不揮発性メモリは、読取り専用メモリ（ＲＯＭ）、プログラマブルＲＯＭ（ＰＲＯＭ）、電気的プログラマブルＲＯＭ（ＥＰＲＯＭ）、電気的消去可能ＰＲＯＭ（ＥＥＰＲＯＭ（登録商標））、またはフラッシュメモリを含むことができる。揮発性メモリは、外部キャッシュメモリとして働くランダムアクセスメモリ（ＲＡＭ）を含むことができる。限定ではなく例として、ＲＡＭは、同期ＲＡＭ（ＳＲＡＭ）、ダイナミックＲＡＭ（ＤＲＡＭ）、同期ＤＲＡＭ（ＳＤＲＡＭ）、ダブルデータレートＳＤＲＡＭ（ＤＤＲ  ＳＤＲＡＭ）、拡張ＳＤＲＡＭ（ＥＳＤＲＡＭ）、シンクリンクＤＲＡＭ（ＳＬＤＲＡＭ）、およびダイレクトランバスＲＡＭ（ＤＲＲＡＭ（登録商標））など、多くの形態において利用可能である。主題のシステムおよび方法のメモリ６０８は、これらおよび他の適切なタイプのメモリを、それらに限定されることなく、備え得る。たとえば、メモリ６０８は、本明細書で説明される様々な構成要素の機能を実行するための命令を含むことができる。
【００５１】
[0052]通信デバイス６００は、ポーリング動作モードに入るべきであるのかリスニング動作モードに入るべきであるのかを決定するためのモード選択構成要素３１５をさらに含み得る。追加または代替として、通信デバイス６００は、メモリ６０８に記憶された複数のリッスンモードプロファイルから少なくとも１つのリッスンモードプロファイルを選択するためのプロファイル選択構成要素３２０を含み得る。いくつかの例では、通信デバイス６００はデバイス構成構成要素３３５を含み得る。デバイス構成構成要素３３５は、プロファイル選択構成要素３２０によって選択された少なくとも１つのリッスンモードプロファイルに基づいて通信デバイス６００を構成し得る。
【００５２】
[0053]追加または代替として、通信デバイス６００は、ＮＦＣデバイス３１０を構成するためにデバイス構成構成要素３３５から取得された情報を利用するためのＮＦＣコントローラ６４８を備えるＮＦＣモジュール３４３を含み得る。いくつかの例では、ＮＦＣモジュール３４３は、ＮＦＣデバイス３１０および任意の周辺機器の管理全体を担当する実行環境であり得るか、または場合によっては、その形態をとり得るデバイスホスト６４５をも含み得る。これは、ＮＦＣコントローラの管理（たとえば、初期化、構成、電力管理など）を含み得る。またさらに、ＮＦＣモジュール３４３は、少なくともデバイスホストとＮＦＣコントローラとの間の通信を可能にするように構成されたＮＣＩ６４７を含み得る。たとえば、ＮＣＩは、デバイスホストとＮＦＣコントローラとの間の論理インターフェースであり得る。
【００５３】
[0054]またさらなる例では、通信デバイス６００は、通信デバイス６００への入力を生成するための入力機構６４２と、通信デバイス６００のユーザによる消費のための情報を生成するための出力機構６４４とを備えるユーザインターフェース６４０を含み得る。たとえば、入力機構６４２は、キーまたはキーボード、マウス、タッチスクリーンディスプレイ、マイクロフォンなどの機構を含み得る。さらに、たとえば、出力機構６４４は、ディスプレイ、オーディオスピーカー、触覚フィードバック機構などを含み得る。図示された態様では、出力機構６４４は、画像またはビデオフォーマットであるメディアコンテンツを提示するように構成されたディスプレイ、あるいはオーディオフォーマットであるメディアコンテンツを提示するためのオーディオスピーカーを含み得る。
【００５４】
[0055]本出願で使用される「構成要素」、「モジュール」、「システム」などの用語は、限定はしないが、ハードウェア、ファームウェア、ハードウェアとソフトウェアの組合せ、ソフトウェア、または実行中のソフトウェアなど、コンピュータ関連エンティティを含むものとする。たとえば、構成要素は、限定はしないが、プロセッサ上で実行されるプロセス、プロセッサ、オブジェクト、実行ファイル、実行スレッド、プログラム、および／またはコンピュータであり得る。例として、コンピューティングデバイス上で実行されるアプリケーションと、そのコンピューティングデバイスの両方が構成要素であり得る。１つまたは複数の構成要素がプロセスおよび／または実行スレッド内に存在することができ、１つの構成要素が１つのコンピュータ上に配置され得、および／または２つ以上のコンピュータ間に分散され得る。さらに、これらの構成要素は、様々なデータ構造を記憶している様々なコンピュータ可読媒体から実行することができる。これらの構成要素は、信号を介して、ローカルシステム、分散システム内の別の構成要素と相互作用し、および／またはインターネットなどのネットワーク上で他のシステムと相互作用する１つの構成要素からのデータなど、１つまたは複数のデータパケットを有する信号に従うことなどによって、ローカルプロセスおよび／またはリモートプロセスを介して通信し得る。
【００５５】
[0056]さらに、本明細書では、ワイヤード端末またはワイヤレス端末であり得る端末に関する様々な態様が説明される。端末は、システム、デバイス、加入者ユニット、加入者局、移動局、モバイル、モバイルデバイス、リモート局、モバイル機器（ＭＥ）、リモート端末、アクセス端末、ユーザ端末、端末、通信デバイス、ユーザエージェント、ユーザデバイス、またはユーザ機器（ＵＥ）と呼ばれることもある。ワイヤレス端末は、セルラー電話、衛星電話、コードレス電話、セッション開始プロトコル（ＳＩＰ）電話、ワイヤレスローカルループ（ＷＬＬ）局、携帯情報端末（ＰＤＡ）、ワイヤレス接続機能を有するハンドヘルドデバイス、コンピューティングデバイス、またはワイヤレスモデムに接続された他の処理デバイスであり得る。その上、本明細書では、基地局に関する様々な態様が説明される。基地局は、（１つまたは複数の）ワイヤレス端末と通信するために利用され得、アクセスポイント、ノードＢ、または何らかの他の用語で呼ばれることもある。
【００５６】
[0057]その上、「または」という用語は、排他的な「または」ではなく、包括的な「または」を意味するものとする。すなわち、別段に規定されていない限り、または文脈から明らかでない限り、「ＸはＡまたはＢを採用する」という句は、自然包括的並べ替えのいずれかを意味するものとする。すなわち、「ＸはＡまたはＢを採用する」という句は、ＸがＡを採用する場合、ＸがＢを採用する場合、またはＸがＡとＢの両方を採用する場合のいずれによっても満たされる。さらに、本出願と添付の特許請求の範囲とで使用される冠詞「ａ」および「ａｎ」は、別段に規定されていない限り、または単数形を対象とすることが文脈から明らかでない限り、概して「１つまたは複数」を意味するものと解釈されるべきである。
【００５７】
[0058]ＮＦＣ通信に関して本明細書で説明される技法は、限定はしないが、ＣＤＭＡ、ＴＤＭＡ、ＦＤＭＡ、ＯＦＤＭＡ、ＳＣ−ＦＤＭＡ、ＬＴＥ（登録商標）、および他のシステムなど、様々な他のワイヤレス通信システムを使用して追加の通信のために構成されたデバイスによって使用され得る。「システム」および「ネットワーク」という用語は、しばしば互換的に使用される。ＣＤＭＡシステムは、ユニバーサル地上波無線アクセス（ＵＴＲＡ：Universal Terrestrial Radio Access）、ｃｄｍａ２０００などの無線技術を実装し得る。ＵＴＲＡは、広帯域ＣＤＭＡ（Ｗ−ＣＤＭＡ（登録商標））およびＣＤＭＡの他の変形態を含む。さらに、ｃｄｍａ２０００は、ＩＳ−２０００、ＩＳ−９５およびＩＳ−８５６規格をカバーする。ＴＤＭＡシステムは、モバイル通信用グローバルシステム（ＧＳＭ（登録商標）：Global System for Mobile Communications）などの無線技術を実装し得る。ＯＦＤＭＡシステムは、発展型ＵＴＲＡ（Ｅ−ＵＴＲＡ：Evolved UTRA）、ウルトラモバイルブロードバンド（ＵＭＢ）、ＩＥＥＥ８０２．１１（Ｗｉ−Ｆｉ（登録商標））、ＩＥＥＥ８０２．１６（ＷｉＭＡＸ（登録商標））、ＩＥＥＥ８０２．２０、Ｆｌａｓｈ−ＯＦＤＭＡなどの無線技術を実装し得る。ＵＴＲＡおよびＥ−ＵＴＲＡは、ユニバーサルモバイルテレコミュニケーションシステム（ＵＭＴＳ：Universal Mobile Telecommunication System）の一部である。３ＧＰＰ（登録商標）ロングタームエボリューション（ＬＴＥ：Long Term Evolution）は、ダウンリンク上ではＯＦＤＭＡを採用し、アップリンク上ではＳＣ−ＦＤＭＡを採用するＥ−ＵＴＲＡを使用するＵＭＴＳのリリースである。ＵＴＲＡ、Ｅ−ＵＴＲＡ、ＵＭＴＳ、ＬＴＥおよびＧＳＭは、「第３世代パートナーシッププロジェクト」（３ＧＰＰ：3rd Generation Partnership Project）と称する団体からの文書に記載されている。さらに、ｃｄｍａ２０００およびＵＭＢは、「第３世代パートナーシッププロジェクト２」（３ＧＰＰ２：3rd Generation Partnership Project 2）と称する団体からの文書に記載されている。さらに、そのようなワイヤレス通信システムは、不対無認可スペクトル、８０２．ｘｘワイヤレスＬＡＮ、ＢＬＵＥＴＯＯＴＨ（登録商標）、近傍界通信（ＮＦＣ−Ａ、ＮＦＣ−Ｂ、ＮＦＣ−ｆなど）、および任意の他の短距離または長距離ワイヤレス通信技法をしばしば使用するピアツーピア（たとえば、モバイルツーモバイル）アドホックネットワークシステムをさらに含み得る。
【００５８】
[0059]上記の開示の態様は、本明細書で説明される行為または機能を実行し得る１つまたは複数の構成要素および１つまたは複数の方法に関して示される。一態様では、上記で使用される「構成要素」という用語は、システムを構成する部分のうちの１つであり得、ハードウェアまたはソフトウェアまたはそれらの何らかの組合せであり得、他の構成要素に分割され得る。説明された動作は、特定の順序でおよび／または例示的な構成要素によって実行されるものとして提示されたが、行為の順序および行為を実行する構成要素は、実装形態に応じて変更され得ることを理解されたい。その上、説明されるように、行為または機能は、特別にプログラムされたプロセッサ、特別にプログラムされたソフトウェアまたはコンピュータ可読媒体を実行するプロセッサによって、あるいは説明される行為または機能を実行することが可能なハードウェア構成要素および／またはソフトウェア構成要素の任意の他の組合せによって実行され得ることを理解されたい。
【００５９】
[0060]上記で開示された態様に関して説明された様々な例示的な論理、論理ブロック、モジュール、および回路は、汎用プロセッサ、デジタル信号プロセッサ（ＤＳＰ）、特定用途向け集積回路（ＡＳＩＣ）、フィールドプログラマブルゲートアレイ（ＦＰＧＡ）または他のプログラマブル論理デバイス、個別ゲートまたはトランジスタ論理、個別ハードウェア構成要素、あるいは本明細書で説明された機能を実行するように設計されたそれらの任意の組合せを用いて実装または実行され得る。汎用プロセッサはマイクロプロセッサであり得るが、代替として、プロセッサは、任意の従来のプロセッサ、コントローラ、マイクロコントローラ、または状態機械であり得る。プロセッサはまた、コンピューティングデバイスの組合せ、たとえば、ＤＳＰとマイクロプロセッサの組合せ、複数のマイクロプロセッサ、ＤＳＰコアと連携する１つまたは複数のマイクロプロセッサ、あるいは任意の他のそのような構成として実装され得る。さらに、少なくとも１つのプロセッサは、上記で説明されたステップおよび／または行為のうちの１つまたは複数を実行するように構成された１つまたは複数のモジュールを備え得る。
【００６０】
[0061]さらに、本明細書で開示された態様に関して説明された方法またはアルゴリズムのステップおよび／または行為は、直接ハードウェアで実施されるか、プロセッサによって実行されるソフトウェアモジュールで実施されるか、またはその２つの組合せで実施され得る。ソフトウェアモジュールは、ＲＡＭメモリ、フラッシュメモリ、ＲＯＭメモリ、ＥＰＲＯＭメモリ、ＥＥＰＲＯＭメモリ、レジスタ、ハードディスク、リムーバブルディスク、ＣＤ−ＲＯＭ、または当技術分野で知られている任意の他の形態の記憶媒体中に存在し得る。例示的な記憶媒体は、プロセッサが記憶媒体から情報を読み取り、記憶媒体に情報を書き込むことができるようにプロセッサに結合され得る。代替として、記憶媒体はプロセッサに一体化され得る。さらに、いくつかの態様では、プロセッサおよび記憶媒体はＡＳＩＣ中に存在し得る。さらに、ＡＳＩＣはユーザ端末中に存在し得る。代替として、プロセッサおよび記憶媒体は、ユーザ端末中に個別構成要素として存在し得る。さらに、いくつかの態様では、方法またはアルゴリズムのステップおよび／または行為は、コンピュータプログラム製品に組み込まれ得る、非一時的機械可読媒体および／またはコンピュータ可読媒体上のコードおよび／または命令の１つまたは任意の組合せ、あるいはそのセットとして存在し得る。
【００６１】
[0062]１つまたは複数の態様では、説明された機能は、ハードウェア、ソフトウェア、ファームウェア、またはそれらの任意の組合せで実装され得る。ソフトウェアで実装される場合、機能は、１つまたは複数の命令またはコードとして非一時的コンピュータ可読媒体上に記憶され得る。記憶媒体は、コンピュータによってアクセスされ得る任意の利用可能な媒体であり得る。限定ではなく例として、そのようなコンピュータ可読媒体は、ＲＡＭ、ＲＯＭ、ＥＥＰＲＯＭ、ＣＤ−ＲＯＭまたは他の光ディスクストレージ、磁気ディスクストレージまたは他の磁気ストレージデバイス、あるいは命令またはデータ構造の形態の所望のプログラムコードを記憶するために使用され得、コンピュータによってアクセスされ得る任意の他の媒体を備えることができる。本明細書で使用されるディスク（disk）およびディスク（disc）は、コンパクトディスク（disc）（ＣＤ）、レーザディスク（登録商標）（disc）、光ディスク（disc）、デジタル多用途ディスク（disc）（ＤＶＤ）、フロッピー（登録商標）ディスク（disk）およびｂｌｕ−ｒａｙ（登録商標）ディスク（disc）を含み、ディスク（disk）は、通常、データを磁気的に再生し、ディスク（disc）は、通常、データをレーザで光学的に再生する。上記の組合せもコンピュータ可読媒体の範囲内に含まれるべきである。
【００６２】
[0063]上記の開示は、例示的な態様および／または態様について論じたが、添付の特許請求の範囲によって定義された説明された態様および／または態様の範囲から逸脱することなく、様々な変更および修正が本明細書で行われ得ることに留意されたい。さらに、説明された態様および／または態様の要素は、単数形で説明または請求されていることがあるが、単数形への限定が明示的に述べられていない限り、複数形が企図される。さらに、態様および／または態様の全部または一部は、別段に記載されていない限り、他の態様および／または態様の全部または一部とともに利用され得る。
以下に本願の出願当初の特許請求の範囲に記載された発明を付記する。
［Ｃ１］
近傍界通信（ＮＦＣ）のための方法であって、
リスニング動作モードに入るべきかどうかを決定することと、
前記リスニング動作モードに入ることを決定したことに基づいて、複数のリッスンモードプロファイルからリッスンモードプロファイルを識別することと、
前記リッスンモードプロファイルに基づいて第１のＮＦＣデバイスを構成することと
を備える、方法。
［Ｃ２］
前記複数のリッスンモードプロファイルから前記リッスンモードプロファイルを識別することが、
前記第１のＮＦＣデバイスによってサポートされる１つまたは複数のプロトコルを決定することと、
前記第１のＮＦＣデバイスによってサポートされる前記１つまたは複数のプロトコルに関連する前記リッスンモードプロファイルを選択することと
を備える、Ｃ１に記載の方法。
［Ｃ３］
前記複数のリッスンモードプロファイルが、少なくとも１つのリッスン状態のための構成パラメータ値を含む、Ｃ１に記載の方法。
［Ｃ４］
前記複数のリッスンモードプロファイルが、ピアツーピア（Ｐ２Ｐ）リッスンモードプロファイル、タイプ３タグ（Ｔ３Ｔ）リッスンモードプロファイル、タイプ４Ａタグ（Ｔ４ＡＴ）リッスンモードプロファイル、またはタイプ４Ｂタグ（Ｔ４ＢＴ）リッスンモードプロファイルのうちの２つまたはそれ以上を備える、Ｃ３に記載の方法。
［Ｃ５］
前記複数のリッスンモードプロファイルが、ピアツーピア（Ｐ２Ｐ）リッスン状態のための構成パラメータと対応するパラメータ値とのセットを有するＰ２Ｐリッスンモードプロファイルを含み、ここにおいて、前記Ｐ２Ｐリッスンモードプロファイルが、ＮＦＣデータ交換プロトコル（ＮＦＣ−ＤＥＰ）を使用して第２のＮＦＣデバイスとの通信を確立するように構成された、Ｃ１に記載の方法。
［Ｃ６］
前記Ｐ２Ｐリッスン状態のための構成パラメータと対応するパラメータ値との前記セットが以下の表
【表５】
0006728204.tif 000006
に含まれる、Ｃ５に記載の方法。
［Ｃ７］
前記複数のリッスンモードプロファイルが、タイプ３タグ（Ｔ３Ｔ）リッスン状態のための構成パラメータと対応するパラメータ値とのセットを有するＴ３Ｔリッスンモードプロファイルを含み、ここにおいて、前記Ｔ３Ｔリッスンモードプロファイルが、タイプ３タグ動作を実装する第２のＮＦＣデバイスとの通信を確立するように構成された、Ｃ１に記載の方法。
［Ｃ８］
前記Ｔ３Ｔリッスン状態のための構成パラメータと対応するパラメータ値との前記セットが以下の表
【表６】
0006728204.tif 000007
に含まれる、Ｃ７に記載の方法。
［Ｃ９］
前記複数のリッスンモードプロファイルが、タイプ４Ａタグ（Ｔ４ＡＴ）リッスン状態のための構成パラメータと対応するパラメータ値とのセットを有するＴ４ＡＴリッスンモードプロファイルを含み、ここにおいて、前記Ｔ４ＡＴリッスンモードプロファイルが、ＮＦＣタイプ−Ａ（ＮＦＣ−Ａ）無線周波数技術を使用してタイプ４タグ動作を実装する第２のＮＦＣデバイスとの通信を確立するように構成された、Ｃ１に記載の方法。
［Ｃ１０］
前記Ｔ４ＡＴリッスン状態のための構成パラメータと対応するパラメータ値との前記セットが以下の表
【表７】
0006728204.tif 000008
に含まれる、Ｃ９に記載の方法。
［Ｃ１１］
前記複数のリッスンモードプロファイルが、タイプ４Ｂタグ（Ｔ４ＢＴ）リッスン状態のための構成パラメータと対応するパラメータ値とのセットを有するＴ４ＢＴリッスンモードプロファイルを含み、ここにおいて、前記Ｔ４ＢＴリッスンモードプロファイルが、ＮＦＣタイプ−Ｂ（ＮＦＣ−Ｂ）無線周波数技術を使用してタイプ４タグ動作を実装する第２のＮＦＣデバイスとの通信を確立するように構成された、Ｃ１に記載の方法。
［Ｃ１２］
前記Ｔ４ＢＴリッスン状態のための構成パラメータと対応するパラメータ値との前記セットが以下の表
【表８】
0006728204.tif 000009
に含まれる、Ｃ１０に記載の方法。
［Ｃ１３］
前記リスニング動作モードに入るべきかどうかを決定することが、
前記第１のＮＦＣデバイス上の少なくとも１つのアプリケーションの特性を識別することと、
前記少なくとも１つのアプリケーションの前記特性に基づいて前記リスニング動作モードを選択することと
を備える、Ｃ１に記載の方法。
［Ｃ１４］
前記リッスンモードプロファイルが、通信プロセス中にユーザ介入なしに実行される、Ｃ１に記載の方法。
［Ｃ１５］
近傍界通信（ＮＦＣ）デバイスのための装置であって、
リスニング動作モードに入ることを決定するための手段と、
前記リスニング動作モードに入ることを決定したことに基づいて、複数のリッスンモードプロファイルからリッスンモードプロファイルを識別するための手段と、
前記リッスンモードプロファイルに基づいて前記ＮＦＣデバイスを構成するための手段と
を備える、装置。
［Ｃ１６］
前記複数のリッスンモードプロファイルから前記リッスンモードプロファイルを識別するための前記手段が、
前記第１のＮＦＣデバイスによってサポートされる１つまたは複数のプロトコルを決定するための手段と、
前記第１のＮＦＣデバイスによってサポートされる前記１つまたは複数のプロトコルに関連する前記リッスンモードプロファイルを選択するための手段と
を備える、Ｃ１５に記載の装置。
［Ｃ１７］
前記複数のリッスンモードプロファイルが、少なくとも１つのリッスン状態のための構成パラメータ値を含む、Ｃ１５に記載の装置。
［Ｃ１８］
前記複数のリッスンモードプロファイルが、ピアツーピア（Ｐ２Ｐ）リッスンモードプロファイル、タイプ３タグ（Ｔ３Ｔ）リッスンモードプロファイル、タイプ４Ａタグ（Ｔ４ＡＴ）リッスンモードプロファイル、またはタイプ４Ｂタグ（Ｔ４ＢＴ）リッスンモードプロファイルのうちの２つまたはそれ以上を備える、Ｃ１７に記載の装置。
［Ｃ１９］
前記複数のリッスンモードプロファイルが、ピアツーピア（Ｐ２Ｐ）リッスン状態のための構成パラメータと対応するパラメータ値とのセットを有するＰ２Ｐリッスンモードプロファイルを含み、ここにおいて、前記Ｐ２Ｐリッスンモードプロファイルが、ＮＦＣデータ交換プロトコル（ＮＦＣ−ＤＥＰ）を使用して第２のＮＦＣデバイスとの通信を確立するように構成された、Ｃ１５に記載の装置。
［Ｃ２０］
前記Ｐ２Ｐリッスン状態のための構成パラメータと対応するパラメータ値との前記セットが以下の表
【表９−１】
0006728204.tif 000010
【表９−２】
0006728204.tif 000011
に含まれる、Ｃ１９に記載の装置。
［Ｃ２１］
前記複数のリッスンモードプロファイルが、タイプ３タグ（Ｔ３Ｔ）リッスン状態のための構成パラメータと対応するパラメータ値とのセットを有するＴ３Ｔリッスンモードプロファイルを含み、ここにおいて、前記Ｔ３Ｔリッスンモードプロファイルが、タイプ３タグ動作を実装する第２のＮＦＣデバイスとの通信を確立するように構成された、Ｃ１５に記載の装置。
［Ｃ２２］
前記Ｔ３Ｔリッスン状態のための構成パラメータと対応するパラメータ値との前記セットが以下の表
【表１０】
0006728204.tif 000012
に含まれる、Ｃ２１に記載の装置。
［Ｃ２３］
前記複数のリッスンモードプロファイルが、タイプ４Ａタグ（Ｔ４ＡＴ）リッスン状態のための構成パラメータと対応するパラメータ値とのセットを有するＴ４ＡＴリッスンモードプロファイルを含み、ここにおいて、前記Ｔ４ＡＴリッスンモードプロファイルが、ＮＦＣタイプ−Ａ（ＮＦＣ−Ａ）無線周波数技術を使用してタイプ４タグ動作を実装する第２のＮＦＣデバイスとの通信を確立するように構成された、Ｃ１５に記載の装置。
［Ｃ２４］
前記Ｔ４ＡＴリッスン状態のための構成パラメータと対応するパラメータ値との前記セットが以下の表
【表１１】
0006728204.tif 000013
に含まれる、Ｃ２３に記載の装置。
［Ｃ２５］
前記複数のリッスンモードプロファイルが、タイプ４Ｂタグ（Ｔ４ＢＴ）リッスン状態のための構成パラメータと対応するパラメータ値とのセットを有するＴ４ＢＴリッスンモードプロファイルを含み、ここにおいて、前記Ｔ４ＢＴリッスンモードプロファイルが、ＮＦＣタイプ−Ｂ（ＮＦＣ−Ｂ）無線周波数技術を使用してタイプ４タグ動作を実装する第２のＮＦＣデバイスとの通信を確立するように構成された、Ｃ１５に記載の装置。
［Ｃ２６］
前記Ｔ４ＢＴリッスン状態のための構成パラメータと対応するパラメータ値との前記セットが以下の表
【表１２】
0006728204.tif 000014
に含まれる、Ｃ２５に記載の装置。
［Ｃ２７］
前記リスニング動作モードに入ることを決定するための前記手段が、
前記第１のＮＦＣデバイス上の少なくとも１つのアプリケーションの特性を識別するための手段と、
前記少なくとも１つのアプリケーションの前記特性に基づいて前記リスニング動作モードを選択するための手段と
を備える、Ｃ１５に記載の装置。
［Ｃ２８］
前記リッスンモードプロファイルが、通信プロセス中にユーザ介入なしに実行される、Ｃ１５に記載の装置。
［Ｃ２９］
近傍界通信（ＮＦＣ）のためのコンピュータ実行可能コードを記憶するコンピュータ可読媒体であって、前記コードが、
リスニング動作モードに入ることを決定するためのコードと、
前記リスニング動作モードに入ることを決定したことに基づいて、複数のリッスンモードプロファイルからリッスンモードプロファイルを識別するためのコードと、
前記リッスンモードプロファイルに基づいて前記ＮＦＣデバイスを構成するためのコードと
に実行可能な命令を備える、コンピュータ可読媒体。
［Ｃ３０］
前記複数のリッスンモードプロファイルから前記リッスンモードプロファイルを識別するための前記コードが、
前記第１のＮＦＣデバイスによってサポートされる１つまたは複数のプロトコルを決定するためのコードと、
前記第１のＮＦＣデバイスによってサポートされる前記１つまたは複数のプロトコルに関連する前記リッスンモードプロファイルを選択するためのコードと
を備える、Ｃ２９に記載のコンピュータ可読媒体。
［Ｃ３１］
前記複数のリッスンモードプロファイルが、少なくとも１つのリッスン状態のための構成パラメータ値を含む、Ｃ２９に記載のコンピュータ可読媒体。
［Ｃ３２］
前記複数のリッスンモードプロファイルが、ピアツーピア（Ｐ２Ｐ）リッスンモードプロファイル、タイプ３タグ（Ｔ３Ｔ）リッスンモードプロファイル、タイプ４Ａタグ（Ｔ４ＡＴ）リッスンモードプロファイル、またはタイプ４Ｂタグ（Ｔ４ＢＴ）リッスンモードプロファイルのうちの２つまたはそれ以上を備える、Ｃ３１に記載のコンピュータ可読媒体。
［Ｃ３３］
近傍界通信（ＮＦＣ）デバイスであって、
データ転送を可能にするために放射誘導界を生成するための送信アンテナと、信号およびエネルギーを受信するための受信アンテナとを備えるトランシーバと、
複数のリッスンモードプロファイルを記憶するように構成されたメモリと、
バスを介して前記メモリおよび前記トランシーバに通信可能に結合された少なくとも１つのプロセッサと
を備え、前記少なくとも１つのプロセッサが、
リスニング動作モードに入ることを決定することと、
前記リスニング動作モードに入ることを決定したことに基づいて、前記複数のリッスンモードプロファイルからリッスンモードプロファイルを識別することと、
前記リッスンモードプロファイルに基づいて前記ＮＦＣデバイスを構成することと
を行うように構成された、ＮＦＣデバイス。
［Ｃ３４］
前記プロセッサが、
前記第１のＮＦＣデバイスによってサポートされる１つまたは複数のプロトコルを決定することと、
前記第１のＮＦＣデバイスによってサポートされる前記１つまたは複数のプロトコルに関連する前記リッスンモードプロファイルを選択することと
を行うようにさらに構成された、Ｃ３３に記載の装置。
［Ｃ３５］
前記ＮＦＣデバイスがＮＦＣモジュールを含み、ここにおいて、前記プロセッサが、前記リッスンモードプロファイルに基づいて前記ＮＦＣモジュールを構成する、Ｃ３３に記載の装置。
［Ｃ３６］
前記複数のリッスンモードプロファイルが、ピアツーピア（Ｐ２Ｐ）リッスンモードプロファイル、タイプ３タグ（Ｔ３Ｔ）リッスンモードプロファイル、タイプ４Ａタグ（Ｔ４ＡＴ）リッスンモードプロファイル、またはタイプ４Ｂタグ（Ｔ４ＢＴ）リッスンモードプロファイルのうちの２つまたはそれ以上を備える、Ｃ３３に記載の装置。
［Ｃ３７］
前記複数のリッスンモードプロファイルが、ピアツーピア（Ｐ２Ｐ）リッスン状態のための構成パラメータと対応するパラメータ値とのセットを有するＰ２Ｐリッスンモードプロファイルを含み、ここにおいて、前記Ｐ２Ｐリッスンモードプロファイルが、ＮＦＣデータ交換プロトコル（ＮＦＣ−ＤＥＰ）を使用して第２のＮＦＣデバイスとの通信を確立するように構成された、Ｃ３３に記載の装置。
［Ｃ３８］
前記複数のリッスンモードプロファイルが、タイプ３タグ（Ｔ３Ｔ）リッスン状態のための構成パラメータと対応するパラメータ値とのセットを有するＴ３Ｔリッスンモードプロファイルを含み、ここにおいて、前記Ｔ３Ｔリッスンモードプロファイルが、タイプ３タグ動作を実装する第２のＮＦＣデバイスとの通信を確立するように構成された、Ｃ３３に記載の装置。
［Ｃ３９］
前記複数のリッスンモードプロファイルが、タイプ４Ａタグ（Ｔ４ＡＴ）リッスン状態のための構成パラメータと対応するパラメータ値とのセットを有するＴ４ＡＴリッスンモードプロファイルを含み、ここにおいて、前記Ｔ４ＡＴリッスンモードプロファイルが、ＮＦＣタイプ−Ａ（ＮＦＣ−Ａ）無線周波数技術を使用してタイプ４タグ動作を実装する第２のＮＦＣデバイスとの通信を確立するように構成された、Ｃ３３に記載の装置。
［Ｃ４０］
前記複数のリッスンモードプロファイルが、タイプ４Ｂタグ（Ｔ４ＢＴ）リッスン状態のための構成パラメータと対応するパラメータ値とのセットを有するＴ４ＢＴリッスンモードプロファイルを含み、ここにおいて、前記Ｔ４ＢＴリッスンモードプロファイルが、ＮＦＣタイプ−Ｂ（ＮＦＣ−Ｂ）無線周波数技術を使用してタイプ４タグ動作を実装する第２のＮＦＣデバイスとの通信を確立するように構成された、Ｃ３３に記載の装置。
【図１】
0006728204.tif 000015
【図２】
0006728204.tif 000016
【図３】
0006728204.tif 000017
【図４】
0006728204.tif 000018
【図５】
0006728204.tif 000019
【図６】
0006728204.tif 000020